(57)【要約】  【課題】大型家電製品の運搬、搬入時における製品の傷付き・打痕防止用保護マットと荷扱いベルトを提供し、製品の傷付き防止、および運搬性の向上を図る。  【解決手段】内側と外側のフィルムでスリーブ状に複数個シール連結されたスリーブ部１０５に発泡樹脂緩衝材１０６と板状シート材１０７を重ね合わせて構成された保護材１０８が挿入されている保護マット１０１を被包装製品１１０外周に巻きつけることで、製品の傷付き防止効果が向上する。また、包装された製品外郭を縦方向に結束する左右２本のメインベルト１１１と包装された製品底面を受ける複数本の補助ベルト１１２で左右のメインベルト１１１と連結し、更に連結された全ての補助ベルト１１２の中央部を連結するセンターベルト１１３により、複数の格子状が布設された構造を持つ荷扱いベルト１１６を用いることで、運搬性が向上する。【選択図】図６
2009018825.tif 000002
【特許請求の範囲】
【請求項１】
内側と外側のフィルムでスリーブ状に複数個シール連結されたスリーブ部に発泡樹脂緩衝材と板状シート材を重ね合わせて構成された保護材を挿入したことを特徴とする保護マット。
【請求項２】
前記保護材を構成する発泡樹脂緩衝材と板状シートの厚さは、板状シートの厚さが発泡樹脂緩衝材の厚さの５分の１から１０分の１で形成したことを特徴とする請求項１に記載の保護マット。
【請求項３】
前記保護材を構成する発泡樹脂緩衝材と板状シートの重ね合わせ面の外形寸法がほぼ等しいことを特徴とする請求項１または２に記載の保護マット。
【請求項４】
前記保護材を構成する発泡樹脂緩衝材の形状は、板状シートとの重ね合わせ面を底辺とした台形状としたことを特徴とする請求項３に記載の保護マット。
【請求項５】
前記保護マットの対向する両端部近傍に締結部材を配置し、前記保護マットを任意の周長に固定できることを特徴とする請求項１から４のいずれか一項に記載の保護マット。
【請求項６】
製品外郭を縦方向に結束する左右２本のメインベルトと製品底面を受ける部分に複数本の補助ベルトで左右のメインベルトと連結し、更に連結された全ての補助ベルトの中央部を連結するセンターベルトにより、複数の格子部が布設された構造を有した荷扱いベルト。
【請求項７】
前記補助ベルト及びセンターベルトで構成された格子部が製品外郭の底面から側面下部に延出して位置するように形成したことを特徴とする請求項６に記載の荷扱いベルト。
【請求項８】
前記左右２本のメインベルトの一端と他端に、それぞれを結束するための結束手段を設けたことを特徴とする請求項６または７に記載の荷扱いベルト。
【請求項９】
請求項１から５のいずれか一項に記載の保護マットと、請求項６から８のいずれか一項に記載の荷扱いベルトを併用した運搬用キット。
【発明の詳細な説明】
【技術分野】
【０００１】
本発明は、大型家電製品の運搬、搬入設置における製品の傷付き防止と荷扱いの安全性を提供する保護マットと荷扱いベルトに関するものである。
【背景技術】
【０００２】
従来、大型家電製品の運搬、搬入設置時の荷扱いは、段ボールケースの包装状態、或いは家具運搬用保護カバーもしくは毛布などで製品を覆い、傷付きや打痕防止を行なっていた（例えば、特許文献１参照）。
【０００３】
図１０は、特許文献１に記載された家具運搬用保護カバーを用いた従来の大型家電製品の運搬、搬入設置時の荷扱用包装仕様を示したものである。
【０００４】
図１０において、包装箱から取り出した大型家電製品の冷蔵庫１の外周に、特許文献１に記載された家具運搬用保護カバー２を被せたことにより、各運搬、搬入作業を行なっても製品外観に傷や打痕が入らないように配慮していた。
【特許文献１】特開平１０−１７５６６８号公報
【発明の開示】
【発明が解決しようとする課題】
【０００５】
しかしながら、上記従来の保護カバー２を用いた場合、大型、重量化した家電製品の運搬、搬入作業にあっては、特に搬入設置時、通路が狭く製品と壁との空間距離が小さい。また門扉やドアーノブ、下駄箱などの突起物と接触する事が多々発生し、製品に傷付きや打痕といった問題を依然生じるという課題を有していた。
【０００６】
本発明は上記従来の課題を解決するもので、搬送時に、より確実に傷付きや打痕を防止することができる運搬用部材を提供することを目的とする。
【課題を解決するための手段】
【０００７】
上記従来の課題を解決するために、本発明の保護マットは、内側と外側のフィルムでスリーブ状に複数個連結されたスリーブ部に発泡樹脂緩衝材と板状シート材を重ね合わせて構成された保護材を挿入したものである。
【０００８】
これにより、運搬、搬入作業時の接触時にも発泡樹脂緩衝材と板状シート材を重ね合わせて構成された保護材により、傷付きや打痕を確実に防止することができる。
【０００９】
また、本発明の荷扱いベルトは、製品外郭を縦方向に結束する左右２本のメインベルトと製品底面を受ける部分に複数本の補助ベルトで左右のメインベルトと連結し、更に連結された全ての補助ベルトの中央部を連結するセンターベルトにより、複数の格子状が布設された構造としたものである。
【００１０】
これにより、荷扱い作業において、製品の固定が確実になるとともに、荷扱い者の手の掴み位置の自由度が高まり、包装製品を安全にしかも容易に運搬することができる。
【００１１】
また、上記保護マットと荷扱いベルトとを運搬用キットとして併用することで、さらに確実に、容易に傷付きや打痕を防止しながら運搬することができる。
【発明の効果】
【００１２】
本発明の保護マットは、内側と外側のフィルムでスリーブ状に複数個連結されたスリーブ部に発泡樹脂緩衝材と板状シート材を重ね合わせて構成された保護材の相乗効果により傷付きや打痕を確実に防止することができる。
【００１３】
また、本発明の荷扱いベルトは、製品外郭を縦方向に結束する左右２本のメインベルトと製品底面を受ける部分に複数本の補助ベルトで左右のメインベルトと連結し、更に連結された全ての補助ベルトの中央部を連結するセンターベルトにより、複数の格子状が布設された構造としたことにより、包装製品を確実に安全にしかも容易に運搬することができる。
【発明を実施するための最良の形態】
【００１４】
請求項１に記載の発明は、内側と外側のフィルムでスリーブ状に複数個シール連結されたスリーブ部に発泡樹脂緩衝材と板状シート材を重ね合わせて構成された保護材を挿入したものであり、スリーブ部内に収納された発泡樹脂緩衝材と板状シート材が一体となった状態で固定されるため、保護材の薄肉化と軽量化を図りながら、傷付きや打痕を確実に防止することができる。また複数個シール連結されてなる保護マットは、シール部より簡単に折り曲げられるため、取付け、取外し、収納が簡単で持ち運びを容易にすることができる。
【００１５】
請求項２に記載の発明は、請求項１に記載の発明において、前記保護材を構成する発泡樹脂緩衝材と板状シートの厚さは、板状シートの厚さが発泡樹脂緩衝材の厚さの５分の１から１０分の１で形成したことにより、外部から受ける衝撃力の遮断性能を大幅に向上させることができ、最少の材料、コストで大きな衝撃力遮断効果を得ることができる。
【００１６】
請求項３に記載の発明は、請求項１または２に記載の発明において、前記保護材を構成する発泡樹脂緩衝材と板状シートの重ね合わせ面の外形寸法がほぼ等しいことにより、発泡樹脂緩衝材と板状シートとが一体となって外部から受ける衝撃力を遮断することができる。
【００１７】
請求項４に記載の発明は、請求項３に記載の発明において、前記保護材を構成する発泡樹脂緩衝材の形状は、板状シートとの重ね合わせ面を底辺とした台形状としたことにより、保護材を構成する発泡樹脂緩衝材の面を製品外郭に沿って覆い被せる場合、複数個シール連結された保護材間のシール部の屈曲が容易となり、製品外郭にしっかりと沿うことができる。
【００１８】
請求項５に記載の発明は、請求項１から４のいずれか一項に記載の発明において、前記保護マットの対向する両端部近傍に締結部材を配置し、前記保護マットを任意の周長に固定できるものであり、被包装製品の外郭寸法が異なったものであっても任意の寸法で保護マットを被包装製品外殻に固定することができる。
【００１９】
請求項６に記載の発明は、製品外郭を縦方向に結束する左右２本のメインベルトと製品底面を受ける部分に複数本の補助ベルトで左右のメインベルトと連結し、更に連結された全ての補助ベルトの中央部を連結するセンターベルトにより、複数の格子部が布設された構造を有したことにより、被包装製品の運搬、荷扱い時での持ち易さを改善するとともに、メインベルトの滑り防止や荷扱い時の安全性の向上を図ることができる。
【００２０】
請求項７に記載の発明は、請求項６に記載の発明において、前記補助ベルト及びセンターベルトで構成された格子部が製品外郭の底面から側面下部に延出して位置するように形成したものであり、被包装製品を持ち上げたり、回転したり、水平移動を行なったりする作業が容易に行なうことができる。
【００２１】
請求項８に記載の発明は、請求項６または７に記載の発明において、前記左右２本のメインベルトの一端と他端に、それぞれを結束するための結束手段を設けたものであり、被包装製品の外郭寸法が異なった場合でもメインベルトの結束を確実に行なえ、荷扱いベルトの共用化を図る事ができる。
【００２２】
請求項９に記載の発明は、請求項１から５のいずれか一項に記載の保護マットと、請求項６から８のいずれか一項に記載の荷扱いベルトを併用した運搬用キットとしたものであり、大型、重量化した家電製品などの運搬、荷扱いにおいて、作業の安全性向上と被包装製品と外部との接触などにより発生する衝撃力を遮断し、製品の保護を行なうとともに品質の向上を図ることができる。
【００２３】
以下、本発明の実施の形態について、図面を参照しながら説明する。なお、この実施の形態によってこの発明が限定されるものではない。
【００２４】
（実施の形態１）
図１は本発明の実施の形態１における保護マットの斜視図、図２は同実施の形態の保護マットの正面図と平面図、図３は図２のＡ−Ａ断面図、図４は大型家電製品等の被包装製品の斜視図、図５は同実施の形態の荷扱いベルトの平面図、図６は図４の被包装製品に図１の保護マットと図５の荷扱いベルトを併用した運搬用キットの斜視図、図７は図５の荷扱いベルト上に図４の被包装製品を載せた状態を下から見た図、図８は段ボール箱１１９等で包装された製品に本発明による図１の保護マットと図５の荷扱いベルトを併用した運搬用キットの斜視図、図９は２人荷役による荷扱い作業の基本パターン（ａ）運搬、（ｂ）方向転換、（ｃ）トラック積み下ろし、（ｄ）階段荷役を模式化した図である。
【００２５】
図１において、保護マット１０１を構成する内側１０２と外側１０３のフィルムにより、スリーブ状に複数個シール連結されたスリーブ部１０５は、被包装製品１１０の外周を覆うに必要な個数を有し、このスリーブ部１０５に発泡樹脂緩衝材１０６と板状シート材１０７を重ね合わせて構成された保護材１０８を挿入し、スリーブ１０５の両端もしくは一方をシール部１０４でシールすることにより、スリーブ部１０５内に収納された発泡樹脂緩衝材１０６と板状シート材１０７が一体となった状態で固定されるため、両者を張り合わせて使用する場合と同様の衝撃力遮断効果が得られ、保護材１０８の薄肉化と軽量化を図ることができる。
【００２６】
そして、保護材１０８を構成する発泡樹脂緩衝材１０６と板状シート１０７の厚さは、板状シート１０７の厚さが発泡樹脂緩衝材１０６の厚さの５分の１から１０分の１で形成し、全体の厚みを５〜１５ｍｍ程度としている。これにより、外部から受ける衝撃力の遮断性能を最も効率よく得る事ができ、最少の材料、コストで大きな衝撃力遮断効果を得ることができる。
【００２７】
また保護材１０８を構成する発泡樹脂緩衝材１０６と板状シート１０７の重ね合わせ面の外形寸法がほぼ等しいことにより、発泡樹脂緩衝材１０６と板状シート１０７とが一体となって外部から受ける衝撃力を遮断する。
【００２８】
この場合、板状シート１０７が外側に発泡樹脂緩衝材１０６が内側（被包装製品側）になる場合と、この逆の場合があるが、板状シート１０７を外側に配置することで、衝撃力遮断効果を大きく得ることができる。これは、極部的な衝撃を板状シート１０７で分散し、さらに発泡樹脂緩衝材１０６が外力を効率的に緩衝することによる。したがって、板状シート１０７が内側になった場合、得られる効果は極端に小さくなるので、誤使用防止のために保護マット１０１を構成する内側１０２と外側１０３のフィルムの色を変える、或いは透明フィルムを用い発泡樹脂緩衝材１０６と板状シート１０７の色分けを行なうなどの識別をしている。
【００２９】
さらに保護材１０８を構成する発泡樹脂緩衝材１０６の形状は、板状シート１０７との重ね合わせ面を底辺とした台形状を形成したことにより、保護材１０８を構成する発泡樹脂緩衝材１０６の面を製品外郭に沿って覆い被せる場合、複数個シール１０４連結された保護材１０８間のシール部１０４の屈曲が容易となり、製品外郭にしっかりと沿うことができる。
【００３０】
また保護材１０８を収納した複数個のシール連結されてなる保護マット１０１は、シール部１０４より簡単に折り曲げられるため、取付け、取外し、収納が簡単で持ち運びを容易にすることができ、保護材１０８を挿入した保護マット１０１の対向する両端部近傍に締結部材としての面ファスナー１０９を布設したことにより、被包装製品１１０の外郭寸法が異なったものであっても任意の寸法で保護マット１０１を被包装製品１１０外殻に固定することができる。
【００３１】
また冷蔵庫のように背の高い製品にあっては、保護マット１０１の高さが低い場合、図６のように同様の保護マット１０１を上下２段に重ねて使用することもできる。一般的に家庭用の標準的な冷蔵庫の高さは１８０ｃｍ程度であり、保護マット１０１の高さをその１／２程度の８０〜１００ｃｍ程度にすることで、汎用性が高まる。
【００３２】
図５は、本実施の形態における荷扱いベルト１１６で、製品外郭を縦方向に結束する左右２本のメインベルト１１１と製品底面を受ける部分に、メインベルト１１１と直交するように複数本の補助ベルト１１２で左右のメインベルト１１１と連結し、更に連結された全ての補助ベルト１１２の中央部を、メインベルト１１１と平行に連結するセンターベルト１１３により、複数の格子部１１８を布設した構造を有したことにより、被包装製品１１０の運搬、荷扱い時での持ち易さを改善するとともに、メインベルト１１１の滑り防止や荷扱い時の安全性の向上を図ったものである。
【００３３】
また第二補助ベルト１１４を補助ベルト１１２の両側からさらに延長して追加し、センターベルト１１３も延長して構成された格子が製品外郭の側面にも追加布設されたことにより、被包装製品１１０を持ち上げたり、回転したり、水平移動を行なったりする作業が容易に行なうことができる。
【００３４】
さらに前記左右２本のメインベルト１１１のそれぞれの端部には相対するそれぞれの端部と結束する為、結束手段としての連結金具１１５を設けている。連結金具１１５は結束寸法の調整が可能なもので、これにより、被包装製品１１０の外郭寸法１１７が異なった場合でもメインベルト１１１の結束を確実に行なえ、荷扱いベルト１１６の共用化を図る事ができる。
【００３５】
また、複数の格子部１１８は、メインベルト１１１の全長に対し、中央より片側に集中して形成している。これにより、製品底面に格子部１１８を位置させた状態でメインベルト１１１の連結金具１１５での結束が側面に位置することで容易に行なうことができるようになる。
【００３６】
また、複数の格子部１１８の中央位置がわかるように、補助ベルト１１２の中央部のみ着色したり、側部を一部延長したりしてマーキングしてもよい。
【００３７】
以上のように、大型、重量化した家電製品などの運搬、荷扱いにおいて、図９に示す２人荷役による荷扱い作業の基本パターン（ａ）運搬、（ｂ）方向転換、（ｃ）トラック積み下ろし、（ｄ）階段荷役を本発明による保護マット１０１と荷扱いベルト１１６を併用した荷扱いキットを用いて行なうことにより、包装製品と障害物との接触などによって発生する衝撃力を遮断し、製品への傷付きや打痕防止保護を行なうとともに作業の安全性向上を図ることができる。
【００３８】
そして、保護マット１０１で外周を覆った冷蔵庫等の包装製品は、外形が大きく、しかも質量も大きく持ちにくい構造のため、包装製品の天面と底面を結束した上記荷扱いベルト１１６を併用し運搬することが望ましい。これにより、製品への傷付きや打痕防止保護効果と運搬性向上の相乗効果を得ることができる。
【００３９】
なお、保護マット１０１と荷扱いベルト１１６を併用して運搬用キットとする場合は、運搬時、保護マット１０１と荷扱いベルト１１６が位置ずれしにくいように、滑り止め機能（例えば、保護マットにベルト通し穴）を付加してもよい。
【産業上の利用可能性】
【００４０】
以上のように、本発明にかかる保護マット、荷扱いベルト、およびこれらを併用した運搬用キットは、大型家電製品の冷蔵庫、洗濯機、テレビなどの運搬、搬入設置時における製品への傷付き防止と品質向上および荷扱いの安全性を提供するものであり、家具やシステム製品等の用途にも適用できる。
【図面の簡単な説明】
【００４１】
【図１】本発明の実施の形態１における保護マットの斜視図
【図２】同実施の形態の保護マットの正面図と平面図
【図３】図２のＡ−Ａ断面図
【図４】大型家電製品等の被包装製品の斜視図
【図５】同実施の形態の荷扱いベルトの平面図
【図６】図４の被包装製品に図１の保護マットと図５の荷扱いベルトを併用した運搬用キットの斜視図
【図７】図５の荷扱いベルト上に図４の被包装製品を載せた状態を下から見た図
【図８】段ボール箱等で包装された製品に本発明による図１の保護マットと図５の荷扱いベルトを併用した運搬用キットの斜視図
【図９】２人荷役による荷扱い作業の基本パターンを模式化した図であり、（ａ）運搬を示す図（ｂ）方向転換を示す図（ｃ）トラック積み下ろしを示す図（ｄ）階段荷役を示す図
【図１０】従来の家具運搬用保護カバーで運搬物を包装した状態図
【符号の説明】
【００４２】
１０１  保護マット
１０５  スリーブ部
１０６  発泡樹脂緩衝材
１０７  板状シート
１０８  保護材
１０９  面ファスナー（締結部材）
１１１  メインベルト
１１２  補助ベルト
１１３  センターベルト
１１４  第二補助ベルト
１１５  連結金具
１１６  荷扱いベルト
【図１】
2009018825.tif 000003
【図２】
2009018825.tif 000004
【図３】
2009018825.tif 000005
【図４】
2009018825.tif 000006
【図５】
2009018825.tif 000007
【図６】
2009018825.tif 000008
【図７】
2009018825.tif 000009
【図８】
2009018825.tif 000010
【図９】
2009018825.tif 000011
【図１０】
2009018825.tif 000012